(57)【要約】【課題】  複数のユーザにとって利便性のよいデジタル放送受信装置を提供する。【解決手段】  ハードディスク１０の記録領域は、複数のユーザに対応した個人領域を含む。各個人領域には、ユーザの名前、番組ジャンル、番組タイトル、キーワード、パスワードなどの個人情報が登録される。制御部１１は、チューナ部１によって受信されたデジタル放送信号に含まれる各チャンネルの番組情報を解析し、個人情報に関連する番組を自動的に検索して、該当する番組を録画して対応する個人領域に保存する。これにより、録画予約設定の煩わしさが解消され、見たい番組を録画し忘れることがなくなる。また、録画した番組を他のユーザに勝手に見られたり、消去されたりすることもなくなる。したがって、各ユーザにとって利便性のよいデジタル放送受信装置が実現できる。【選択図】        図１
2006268966.tif 000002
【特許請求の範囲】
【請求項１】
録画用のハードディスクが内蔵されたデジタル放送受信装置であって、
受信したデジタル放送信号から希望するチャンネルの信号を選択して復調するチューナ部、
それぞれ複数のユーザの個人情報が予め登録される複数の個人領域を含む記録領域を有するハードディスク、および
前記デジタル放送信号に含まれる各チャンネルの番組情報を解析して、予め登録された各個人情報に関連する番組を検索し、該当する番組を録画して対応する個人領域に保存する制御部を備える、デジタル放送受信装置。
【請求項２】
前記個人情報は、番組タイトルを含み、
前記制御部は、前記番組タイトルと関連する番組を検索する、請求項１に記載のデジタル放送受信装置。
【請求項３】
前記個人情報は、番組タイトルと、番組ジャンルと、キーワードとを含み、
前記制御部は、前記番組タイトルと前記番組ジャンルと前記キーワードのうちの少なくとも１つに関連する番組を検索する、請求項１に記載のデジタル放送受信装置。
【請求項４】
前記制御部は、前記該当する番組の録画が完了した場合に、対応するユーザに録画の完了を通知する、請求項１から請求項３までのいずれかに記載のデジタル放送受信装置。
【請求項５】
前記個人情報は、対応するユーザを特定する認証情報を含み、
各個人領域は、前記認証情報によって特定されるユーザのみが使用可能である、請求項１から請求項４までのいずれかに記載のデジタル放送受信装置。
【発明の詳細な説明】
【技術分野】
【０００１】
この発明は、デジタル放送受信装置に関し、特に、録画用のハードディスクが内蔵されたデジタル放送受信装置に関する。
【背景技術】
【０００２】
録画用のハードディスクが内蔵されたデジタル放送受信装置は、ビデオテープなどを使う必要がなく、見たい番組を簡単にハードディスクに録画することができる。また、テープの巻き戻しなどの必要もなく、録画した番組の中から見たい番組を探して簡単に視聴することができる。近年では、ＢＳデジタル放送、ＣＳデジタル放送および地上波デジタル放送を受信するデジタル放送受信装置にハードディスクが内蔵されたものもある。
【０００３】
下記の特許文献１には、放送番組の録画予約に対する煩雑さを解消し、放送時間の変更にも確実に対応し録画を行なうことが可能なテレビジョン番組録画予約システムが開示されている。これによると、番組放送の年月日、チャンネル、放送開始時間、放送終了時間等のデータを入力する必要がなく、また新聞、雑誌等の番組放送表の放送番組のコードを調べる必要もなくなる。
【特許文献１】特開平６−８４２３１号公報
【発明の開示】
【発明が解決しようとする課題】
【０００４】
従来のハードディスクが内蔵されたデジタル放送受信装置では、複数のユーザが使用する場合、録画した番組をすべてのユーザが自由に視聴ことができ、また任意に消去することもできる。このため、あるユーザが録画した番組が他のユーザに勝手に消去されてしまうこともあり、各ユーザにとって利便性がよくなかった。
【０００５】
それゆえに、この発明の主たる目的は、複数のユーザにとって利便性のよいデジタル放送受信装置を提供することである。
【課題を解決するための手段】
【０００６】
この発明に係わるデジタル放送受信装置は、録画用のハードディスクが内蔵されたデジタル放送受信装置であって、受信したデジタル放送信号から希望するチャンネルの信号を選択して復調するチューナ部と、それぞれ複数のユーザの個人情報が予め登録される複数の個人領域を含む記録領域を有するハードディスクと、デジタル放送信号に含まれる各チャンネルの番組情報を解析して、予め登録された各個人情報に関連する番組を検索し、該当する番組を録画して対応する個人領域に保存する制御部とを備えたものである。
【０００７】
好ましくは、個人情報は、番組タイトルを含む。制御部は、番組タイトルと関連する番組を検索する。
【０００８】
また好ましくは、個人情報は、番組タイトルと、番組ジャンルと、キーワードとを含む。制御部は、番組タイトルと番組ジャンルとキーワードのうちの少なくとも１つに関連する番組を検索する。
【０００９】
また好ましくは、制御部は、該当する番組の録画が完了した場合に、対応するユーザに録画の完了を通知する。
【００１０】
また好ましくは、個人情報は、対応するユーザを特定する認証情報を含む。各個人領域は、認証情報によって特定されるユーザのみが使用可能である。
【発明の効果】
【００１１】
この発明に係わるデジタル放送受信装置では、受信したデジタル放送信号から希望するチャンネルの信号を選択して復調するチューナ部と、それぞれ複数のユーザの個人情報が予め登録される複数の個人領域を含む記録領域を有するハードディスクと、デジタル放送信号に含まれる各チャンネルの番組情報を解析して、予め登録された各個人情報に関連する番組を検索し、該当する番組を録画して対応する個人領域に保存する制御部とが設けられる。これにより、録画予約設定の煩わしさが解消され、見たい番組を録画し忘れることがなくなる。また、録画した番組を他のユーザに勝手に見られたり、消去されたりすることもなくなる。したがって、各ユーザにとって利便性のよいデジタル放送受信装置が実現できる。
【発明を実施するための最良の形態】
【００１２】
図１は、この発明の一実施の形態によるデジタル放送受信装置の概略構成を示すブロック図である。図１において、このデジタル放送受信装置は、チューナ部１と、音声多重デコーダ２と、ＡＶセレクタ３と、映像処理部４と、出力部５，８と、ＣＲＴ（受像管）ディスプレイ６と、音声処理部７と、スピーカ９と、ハードディスク１０と、制御部１１と、操作部１２とを備える。
【００１３】
チューナ部１は、アンテナ（図示せず）で受信されたＢＳデジタル放送信号、ＣＳデジタル放送信号および地上波デジタル放送信号を受け、希望するチャンネルの信号を選択して復調する。チューナ部１によって復調された映像信号はＡＶセレクタ３に与えられ、音声信号は音声多重デコーダ２に与えられる。音声多重デコーダ２は、チューナ部１からの音声信号を多重復調する。ＡＶセレクタ３は、チューナ部１からの映像信号、音声多重デコーダ２からの音声信号、および外部入力信号（映像・音声）を受け、映像処理部４、音声処理部７、ハードディスク１０に適宜信号を切替えて出力する。アンテナで受信されたデジタル放送信号は、映像信号および音声信号に加えて各チャンネルの番組情報（番組タイトル、番組ジャンル、放送時間、出演者情報など）を含む。チューナ部１は、受信した番組情報を制御部１１に与える。
【００１４】
ユーザは、本体またはリモコンの操作部１２のボタンを操作する。制御部１１は、ユーザの操作に応じて、デジタル放送受信装置の全体制御を行なう。具体的には、チューナ部１によって選択されるチャンネルの切替え制御やＡＶセレクタ３の出力切替え制御、ハードディスク１０への録画動作の制御などを行なう。
【００１５】
ＡＶセレクタ３から出力された映像信号は、映像処理部４および出力回路５によって信号増幅などの信号処理が施された後、ＣＲＴディスプレイ６に表示される。なお、ＣＲＴディスプレイ６に代わって、液晶ディスプレイやプラズマディスプレイを用いてもよい。ＡＶセレクタ３から出力された音声信号は、音声処理部７および出力回路８によって信号増幅などの信号処理が施された後、スピーカ９から出力される。
【００１６】
ハードディスク１０には、ＡＶセレクタ３から出力された映像信号および音声信号が記録される。このようにして、デジタル放送受信装置に内蔵されたハードディスクに希望する番組を録画することができる。また、ユーザはハードディスクに録画された番組を視聴することもできる。
【００１７】
図２は、図１に示したハードディスク１０の記録領域の構成を示す図である。図２において、ハードディスクの記録領域は、複数のユーザ１，ユーザ２，・・・に対応した個人領域１，個人領域２，・・・、および各ユーザが共有できる共有領域を含む。各個人領域には、ユーザの名前、好きな番組のジャンル、お気に入りの番組タイトル、好きな人物や物の名称などのキーワード、およびパスワードなどの個人情報が登録される。
【００１８】
次に、図１に示したデジタル放送受信装置の動作について説明する。ユーザは、操作部１２を操作して、ＣＲＴディスプレイ６に「メニュー」画面を表示させる。図３は、「メニュー」画面を示す図である。図３を参照して、「メニュー」画面には、各チャンネルの設定を行なうための「チャンネル」項目、映像調整などの設定を行なうための「各種設定」項目、各ユーザに割当てられた個人フォルダの中身を見るための「個人フォルダ」項目、各ユーザが共有する共有フォルダの中身を見るための「共有フォルダ」項目などが表示される。個人フォルダおよび共有フォルダは、それぞれ図２に示した個人領域および共有領域に対応する。
【００１９】
次に、ユーザが「各種設定」項目を選択すると、図４に示すような「各種設定」画面が表示される。図４を参照して、「各種設定」画面には、映像調整を行なうための「映像調整」項目、音声調整を行なうための「音声調整」項目、各個人フォルダに対してユーザの個人情報を設定するための「個人フォルダ設定」項目などが表示される。
【００２０】
ここで、ユーザが「個人フォルダ設定」項目を選択すると、図５に示すような「個人フォルダ設定」画面が表示される。図５を参照して、ユーザは、本人の名前、好きな番組のジャンル、よく視聴するお気に入りの番組タイトル、好きな人物や物の名称などのキーワード、個人認証用のパスワードなどの個人情報を登録する。入力された個人情報は、ハードディスク内の対応する個人領域（図２参照）に保存される。
【００２１】
図１に戻って、制御部１１は、チューナ部１によって受信されたデジタル放送信号に含まれる各チャンネルの番組情報（番組タイトル、番組ジャンル、放送時間、出演者情報など）を常時解析し、登録された個人情報に関連する番組を検索する。該当する番組がある場合は、チューナ部１にその番組のチャンネルを選択させて、該当する番組を録画してハードディスク１０の対応する個人領域に保存する。
【００２２】
図６は、ハードディスクへの録画動作について説明するためのフローチャートである。図６を参照して、ステップＳ１において、制御部１１は、各チャンネルの番組情報（番組タイトル、番組ジャンル、放送時間、出演者情報など）を解析し、登録された個人情報（番組タイトル、番組ジャンル、キーワードなど）に関連する番組を自動的に検索する。ステップＳ２において、解析された番組情報の中から個人情報として登録された番組タイトルと一致する番組タイトルが検出された場合や、登録された番組ジャンルやキーワードに関連する情報が検出された場合は、該当する番組を録画番組と判定する。ステップＳ３に進んで、その録画番組を録画し、ハードディスク１０の対応する個人領域に保存する。次に、ステップＳ４において、番組が録画されたことをユーザに通知する。なお、録画番組を判定する条件は、各ユーザが個人情報として任意に設定することができる。
【００２３】
再び図３に戻って、「メニュー」画面から「個人フォルダ」項目を選択すると、図７に示すような「個人フォルダ」画面が表示される。図７を参照して、「個人フォルダ」画面には、各ユーザ１，２，・・・の個人フォルダが表示される。番組の録画が完了した場合、対応するユーザの個人フォルダの横にロゴマーク（図では「ＮＥＷ」）が表示されて、新たに番組が録画されたことがユーザに通知される。なお、ロゴマークを表示させる代わりに、フォルダを点滅させるなどしてもよい。
【００２４】
次に、ユーザがフォルダを選択すると、パスワードの認証画面が表示される（図示せず）。ユーザが、予め登録しておいたパスワードを入力してそのパスワードが認証されると、図８に示すように、個人フォルダ内の録画された番組の一覧が表示される。このように、各個人フォルダは、対応するユーザのみが管理する権限を有する。各ユーザは、自分の個人フォルダに録画された番組を視聴したり消去したりすることができる。また、各ユーザは、自分の個人フォルダと共有フォルダとの間で録画番組の移動またはコピーなどをすることもできる。
【００２５】
以上のように、この発明の一実施の形態では、ハードディスクの記録領域が複数のユーザに対応した複数の個人領域に分割される。各ユーザが対応する個人領域に個人情報を登録すると、個人情報に基づいて録画する番組が自動的に検索され、該当する番組が自動的に録画されてハードディスク内の対応する個人領域に保存される。これにより、録画予約設定の煩わしさが解消され、見たい番組を録画し忘れることがなくなる。また、各個人領域に保存された録画番組は、対応するユーザのみが管理する権限を有するため、録画した番組を他のユーザに勝手に見られたり、消去されたりすることもなくなる。したがって、各ユーザにとって利便性のよいデジタル放送受信装置が実現できる。
【００２６】
なお、ここでは、デジタル放送受信装置がディスプレイを含むテレビジョン受像機である場合を例に挙げたが、映像処理部４、出力部５，８、ＣＲＴディスプレイ６、音声処理部７、スピーカ９を外部に設けた構成であってもよい。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】この発明の一実施の形態によるデジタル放送受信装置の概略構成を示すブロック図である。
【図２】図１に示したハードディスクの記録領域の構成を示す図である。
【図３】「メニュー」画面を示す図である。
【図４】「各種設定」画面を示す図である。
【図５】「個人フォルダ設定」画面を示す図である。
【図６】ハードディスクへの録画動作について説明するためのフローチャートである。
【図７】「個人フォルダ」画面を示す図である。
【図８】個人フォルダ内の録画された番組の一覧を示す図である。
【符号の説明】
【００２９】
１  チューナ部、２  音声多重デコーダ、３  ＡＶセレクタ、４  映像処理部、５，８  出力部、６  ＣＲＴディスプレイ、７  音声処理部、９  スピーカ、１０  ハードディスク、１１  制御部、１２  操作部。
【図１】
2006268966.tif 000003
【図２】
2006268966.tif 000004
【図３】
2006268966.tif 000005
【図４】
2006268966.tif 000006
【図５】
2006268966.tif 000007
【図６】
2006268966.tif 000008
【図７】
2006268966.tif 000009
【図８】
2006268966.tif 000010